(57)【要約】  【課題】白熱電球から代替えが容易で、適用範囲の広い発光指向性を有する光源装置１を提供する。  【解決手段】本光源装置１は、回動中心軸線６の周りにねじ込むことにより給電ソケット５に接続可能な口金３を有する基部１０と、口金３から給電されて発光指向性のある発光素子４と、発光素子４を回動中心軸線６と交差する外方向に向けて発光するように一体回動可能に支持し回動中心軸線６の周りに基部１０に対して回動可能に連結された回動支持部１１とを備える。口金３により、白熱電球からの代替えが容易である。しかも、回動支持部１１を基部１０に対して回動して、発光素子４の発光方向Ｒ０を所望の向きに自在に調整でき、調整した向きを回動位置維持機構２４Ａにより維持できる。従って、適用範囲の広い発光指向性を有する光源装置１を実現することができる。  【選択図】  図１
2005251689.tif 000002
【特許請求の範囲】
【請求項１】
所定の回動中心軸線の周りにねじ込むことにより給電ソケットに電気的および機械的に接続可能な口金を有する基部と、
上記口金に電気的に接続された発光指向性のある発光素子と、
この発光素子を、上記回動中心軸線と交差する外方向に向けて発光するように一体回動可能に支持し、上記回動中心軸線の周りに上記基部に対して回動可能に連結された回動支持部と、
上記基部に対する上記回動支持部の相対回動を規制または抑制して、上記基部に対する上記回動支持部の相対回動位置を維持する回動位置維持機構とを備えていることを特徴とする光源装置。
【請求項２】
請求項１記載の光源装置において、
上記回動支持部は、
上記回動中心軸線の周りに上記基部に対して回動自在に連結され、作業者による回動操作が可能な回動操作部と、
この回動操作部に一体回動可能に連結され、上記口金と電気的に接続されるとともに上記発光素子を支持し、この発光素子に給電する回路基板とを含むことを特徴とする光源装置。
【請求項３】
請求項２に記載の光源装置において、上記回動操作部は、上記発光素子を覆うグローブを含むことを特徴とする光源装置。
【請求項４】
請求項３に記載の光源装置において、上記回動位置維持機構は、グローブの内面に形成された起伏部と、この起伏部に係合可能であるように上記基部に設けられた弾性舌片とを備え、上記回動操作部を作業者が回動操作することによって上記起伏部と弾性舌片との係合が解除されて上記回動支持部が上記基部に対して相対回動する一方で、上記回動支持部の回動移動を所定角度毎に規制し、上記回動操作部に作業者が回動操作力を加えていない状態では上記回動支持部の回動位置を維持できるようにしてあることを特徴とする光源装置。
【請求項５】
請求項２に記載の光源装置において、上記基部は、上記発光素子を覆うグローブを含み、上記回動操作部は、上記グローブの頂部を覆うカバーを含むことを特徴とする光源装置。
【請求項６】
請求項５に記載の光源装置において、上記回動位置維持機構は、上記グローブの内面に形成された起伏部と、上記カバーと一体回動可能であって上記起伏部と係合可能な凸部とを備え、上記回動操作部を作業者が回動操作することによって上記起伏部と凸部との係合位置をずらしながら上記回動支持部が上記基部に対して相対回動する一方で、上記回動支持部の回動移動を所定角度毎に規制し、上記回動操作部に作業者が回動操作力を加えていない状態では上記回動支持部の回動位置を維持できるようにしてあることを特徴とする光源装置。
【請求項７】
請求項１から６の何れかに記載の光源装置において、上記回動支持部は、上記発光素子の発光方向を作業者に示す表示部を含むことを特徴とする光源装置。
【請求項８】
請求項１から７の何れかに記載の光源装置において、上記基部に対する回動支持部の回動角度範囲を所定範囲に規制する回動範囲規制部材をさらに備えていることを特徴とする光源装置。
【発明の詳細な説明】
【技術分野】
【０００１】
この発明は、例えば、工場の生産状況等の情報を表示するための生産ライン用の表示装置等に利用可能な光源装置に関する。
【背景技術】
【０００２】
図１１は、上述の表示装置９０に用いられる表示ユニット９４の一部切欠き斜視図である。表示装置９０には、いわゆるアンドンと呼ばれる表示ユニット９４（一つを図示。）を多数連結して構成されているものがある。表示ユニット９４は、前面および後面に開口を有する非透光性の箱９１と、この箱９１の前面および後面の開口に設けられた情報表示用の透光性の表示板９２と、この表示板９２を背後から照明するために箱９１内に配置された白熱電球９３とを有する。表示板９２上の文字、図形等を白熱電球９３の点灯により表示するようにしている。
【０００３】
また、光源装置には、ＬＥＤを用い且つ給電ソケットに接続可能な口金を有するものがある（特許文献１，２，３，４参照）。例えば、特許文献１に記載の光源装置では、多数のＬＥＤが多面体をなす基板の表面に多方向に向けて取り付けられている。特許文献２に記載の光源装置では、多数のＬＥＤから光が口金の径方向に沿って放射状に発せられる。特許文献３および特許文献４に記載の光源装置では、多数のＬＥＤからの光が、直接にまたは反射されて、口金の回動中心軸線と並行な前方へ発せられる。何れの特許文献に記載されている光源装置も、口金に固定される基部に基板を介してＬＥＤを固定している。
【特許文献１】特表２００２−５２５８１４号公報
【特許文献２】特開平７−２０２２７２号公報
【特許文献３】特開２００１−２３０８８号公報
【特許文献４】特開平９−２６５８０７号公報
【発明の開示】
【発明が解決しようとする課題】
【０００４】
ところで、上述の生産ライン用の表示装置９０では、白熱電球９３の寿命が短いので、メンテナンスの頻度が高く、メンテナンス費用が高くなっていた。さらに、表示装置９０が高所に設置される場合には、専門業者によるメンテナンス作業が必要となるので、メンテナンス費用がより一層高価になっていた。
この課題を解消するべく、表示装置９０に白熱電球９３に代えて、長寿命のＬＥＤを用いることが考えられる。また、ＬＥＤを用いるために表示装置９０に生じる変更を小さくしたい、または変更を無くしたいという要望がある。表示装置９０では、給電ソケット９５に白熱電球９３の口金９６をねじ込んで接続している。そこで、本願発明者は、上述の各特許文献の口金付きの光源装置を表示装置９０に適用することを考えた。
【０００５】
しかし、表示装置９０では、白熱電球９３からの光の一部、すなわち、口金９６の径方向に沿って表示板９２に向けて発せられる光だけを利用している。このような表示装置９０では、特許文献１および特許文献２の光源装置の無指向性の光は一部しか利用できない。また、特許文献３および特許文献４の光源装置は、光の指向性が合わず、表示装置９０に適用できない。結局、上述の表示装置９０に好適な光源装置は存在していなかった。
【０００６】
本願発明者は、口金を備え、さらに、口金９６の径方向に沿う所定方向に向けてＬＥＤを固定した光源装置を考えたが、この光源装置では、給電ソケット９５への口金のねじ込み完了状態において、ＬＥＤの発光方向はばらついてしまう。また、上述の表示装置に限らず、白熱電球を用いている各種装置等にとって好適な発光指向性のある光源装置が要望されている。
【０００７】
そこで、この発明の目的は、白熱電球からの代替えが容易で、発光指向性のある発光素子の出力光を有効に利用することができる光源装置を提供することである。
【課題を解決するための手段】
【０００８】
本発明の光源装置は、所定の回動中心軸線の周りにねじ込むことにより給電ソケットに電気的および機械的に接続可能な口金を有する基部と、上記口金に電気的に接続された発光指向性のある発光素子と、この発光素子を、上記回動中心軸線と交差する外方向に向けて発光するように一体回動可能に支持し、上記回動中心軸線の周りに上記基部に対して回動可能に連結された回動支持部と、上記基部に対する上記回動支持部の相対回動を規制または抑制して、上記基部に対する上記回動支持部の相対回動位置を維持する回動位置維持機構とを備えていることを特徴とする。
【０００９】
この発明によれば、本光源装置を口金で給電ソケットに接続できるようにしているので、給電ソケットに接続される白熱電球からの代替えが容易な光源装置を実現できる。しかも、回動支持部を基部に対して回動させることにより、発光素子の発光方向を調整できる。その結果、例えば、作業者が給電ソケットに口金をねじ込む際に、発光方向がばらつくとしても、発光方向を一定の向きに調整して維持できるので、発光素子の出力光を有効に利用することができる。また、発光方向を所望の向きに自在に調整することができる。従って、適用範囲の広い発光指向性を有する光源装置を実現することができる。
【００１０】
上記回動支持部は、上記回動中心軸線の周りに上記基部に対して回動自在に連結され、作業者による回動操作が可能な回動操作部と、この回動操作部に一体回動可能に連結され、上記口金と電気的に接続されるとともに上記発光素子を支持し、この発光素子に給電する回路基板とを含むことが好ましい。この場合、作業者が回動支持部を直接に手動操作でき、操作した回動量および向きで、回動操作部と共に回路基板および発光素子を一体回動させることができる。その結果、発光素子の発光方向の調整作業を分かりやすい簡単な作業により実現できる。
【００１１】
また、上記回動操作部は、上記発光素子を覆うグローブを含む構成であってもよい。グローブは、給電ソケットへの取付け後でも回動し易いから、調整が容易である。
また、この場合に、上記回動位置維持機構は、グローブの内面に形成された起伏部と、この起伏部に係合可能であるように上記基部に設けられた弾性舌片とを備え、上記回動操作部を作業者が回動操作することによって上記起伏部と弾性舌片との係合が解除されて上記回動支持部が上記基部に対して相対回動する一方で、上記回動支持部の回動移動を所定角度毎に規制し、上記回動操作部に作業者が回動操作力を加えていない状態では上記回動支持部の回動位置を維持できるようにしてあることが好ましい。この場合、回動支持部の回動位置を自律的に維持できる。また、所定の大きさよりも大きな回動操作力を作用させることで、回動支持部の回動位置の維持を解除できる。従って、調整作業の手間を軽減することができる。また、弾性舌片と起伏部とが弾力的に係合して、回動支持部の回動位置を確実に維持することができる。
【００１２】
また、上記基部が、上記発光素子を覆うグローブを含み、上記回動操作部が、上記グローブの頂部を覆うカバーを含む構成とすることもできる。この場合、グローブを掴んで、口金を給電ソケットに容易にねじ込むことができる。また、カバーは、給電ソケットへの取付け後でも、回動させ易く、調整し易い。従って、給電ソケットへの取付けが容易で、且つ発光指向性の調整も容易な光源装置を実現できる。
【００１３】
また、この構成の場合に、上記回動位置維持機構は、上記グローブの内面に形成された起伏部と、上記カバーと一体回動可能であって上記起伏部と係合可能な凸部とを備え、上記回動操作部を作業者が回動操作することによって上記起伏部と凸部との係合位置をずらしながら上記回動支持部が上記基部に対して相対回動する一方で、上記回動支持部の回動移動を所定角度毎に規制し、上記回動操作部に作業者が回動操作力を加えていない状態では上記回動支持部の回動位置を維持できるようにしてあることが好ましい。この場合、回動支持部の回動位置を自律的に維持できる。また、所定の大きさよりも大きな回動操作力を作用させることで、回動支持部の回動位置の維持を解除できる。従って、調整作業の手間を軽減することができる。また、凸部と起伏部との係合であれば、構造を簡素化できる。
【００１４】
上記回動支持部は、上記発光素子の発光方向を作業者に示す表示部を含むものであってもよい。この場合、消灯状態の発光素子であっても、発光素子の向きを容易に知ることができるので、発光素子の向きを容易に調節できる。
また、上記光源装置は、上記基部に対する回動支持部の回動角度範囲を所定範囲に規制する回動範囲規制部材をさらに備えていることが好ましい。この場合、回動支持部の過度な回動を防止できるので、過度な回動による不具合の発生を未然に防止することができる。
【発明を実施するための最良の形態】
【００１５】
以下では、この発明の実施の形態を、添付図面を参照して詳細に説明する。
図１は、本発明の第１実施形態の光源装置の斜視図である。
光源装置１は、外郭ケース２と、外郭ケース２の一端から突出して設けられている口金３とを有している。外郭ケース２の内部に少なくとも一つ、例えば、複数の発光素子４（図１には一つのみ図示。）が設けられている。口金３は、外部の電源装置（図示せず）等と接続される給電ソケット５に着脱自在に取り付けることができる。給電ソケット５、口金３を介して電源装置等から発光素子４へ電力を供給できるようになっている。
【００１６】
口金３を所定の回動中心軸線６の延びる方向（以下、軸方向Ｓ１ともいう。）に沿って給電ソケット５に差し込み、回動中心軸線６の周りにねじ込むことにより、口金３を給電ソケット５に電気的および機械的に接続することができる。ねじ込みを解除することにより、口金３と給電ソケット５との電気的および機械的な接続を解除できる。
口金３および給電ソケット５は、捩じり操作により互いに解除可能に係合する一対の係合部としての雄ねじおよび雌ねじをそれぞれ有している。上述の所定の回動中心軸線６は、具体的には、雄ねじまたは雌ねじの中心軸線である。また、口金３と給電ソケット５は、電気的に接続するために互いに接触可能な端子部を、例えば、それぞれ一対ずつ有している。口金３の２つの端子部は、例えば、口金３の雄ねじと、口金３の先端とを形成している。口金３の２つの端子部の間には、絶縁材が介在している。口金３は、白熱電球の口金と同仕様とされている。
【００１７】
外郭ケース２は、口金３の回動中心軸線６を中心軸線とする円筒形状をなしている。外郭ケース２は、口金３寄りにある外郭ケース２の一端を形成する円板形状のベース７と、軸方向Ｓ１についての中間部を透光性部材により形成し発光素子４を覆う筒形状、例えば、円筒形状のグローブ８と、グローブ８の頂部８ｊを覆い外郭ケース２の他端を形成する円板形状のカバー９とを有している。ベース７とグローブ８とカバー９とは互いに別体で形成されている。
【００１８】
発光素子４は、発光指向性のある素子であり、この実施形態では、ＬＥＤ（発光ダイオード）からなる。
本実施形態では、発光素子４の発光方向Ｒ０を口金３の径方向Ｒ１と平行にして、発光素子４をグローブ８の内部に保持している（図１Ａ参照）。また、外郭ケース２のカバー９を回動中心軸線６の周りに手動により回動させることにより、発光素子４をグローブ８内で一体回転させて、発光方向Ｒ０を上述の径方向Ｒ１とは異なる径方向Ｒ２と平行に調整することができる（図１Ｂ参照）。
【００１９】
図２は、光源装置１の縦断面図である。図３は、その横断面図である。また、図４は、光源装置１の分解斜視図である。
光源装置１は、上述の口金３を有する基部１０と、口金３に電気的に接続された発光指向性のある複数の発光素子４と、この発光素子４を一体回動可能に支持する回動支持部１１と、回動支持部１１を回動中心軸線６の周りに基部１０に対して回動可能に連結する軸部１２とを有している。
【００２０】
基部１０は、口金３と、外郭ケース２のベース７と、軸部１２と連結するための連結部としての板状の金具１３とを有している。
ベース７は、円板部７ａと、円板部７ａの外周縁部から軸方向Ｓ１に延設された延設部７ｂとを有している。円板部７ａは、口金３を固定するための固定孔７ｃを有している。固定孔７ｃに電線１４が通されている。延設部７ｂの延設端は、グローブ８の対応する端部と相対回動可能に嵌合している。延設部７ｂの外周７ｆは、口金３を給電ソケット５にねじ込むために作業者による回動操作が可能なねじ込み操作部を構成している。
【００２１】
金具１３は、ベース７とボルト１５Ａ，１５Ｂにより固定されている。金具１３は、軸部１２を、口金３の回動中心軸線６と同心位置に位置決めして固定している。
軸部１２は、軸方向Ｓ１の双方向についての基部１０と回動支持部１１との相対移動を規制し、回動中心軸線６の周りの基部１０と回動支持部１１との互いの相対回動を案内する。具体的には、軸部１２は、カバー９の中央孔９ｃを挿通して基部１０の金具１３にねじ込まれて固定されるボルト１６と、ボルト１６を取り囲む筒部材１７とを有している。筒部材１７は、外郭ケース２の内側にあるカバー９の中央孔９ｃの周縁部分と金具１３との間に挟持されている。
【００２２】
回動支持部１１は、軸部１２を介して基部１０と回動自在に連結されているカバー９と、カバー９と相対移動不能に接合されたグローブ８とを有している。
カバー９は、円板部９ａと、円板部９ａの縁部から軸方向Ｓ１に延設された延設部９ｂとを有している。円板部９ａの中央孔９ｃをボルト１６の軸部が挿通している。ボルト１６の頭部と筒部材１７の端部との間にカバー９の円板部９ａが挟まれている。ボルト１６が金具１３にねじ込まれて固定された状態で、カバー９はボルト１６および筒部材１７に対して相対回動可能に係合している。グローブ８の外周８ｆおよびカバー９の延設部９ｂの外周９ｆは、作業者による回動操作が可能な回動操作部を構成している。
【００２３】
また、回動支持部１１は、複数、例えば、筒部材１７を挟み込むように配置された２枚の回路基板１８と、これらの回路基板１８の一方の端部とカバー９との間に介在してカバー９に回路基板１８を取り付けるための第１スペーサ１９と、回路基板１８の他方の端部同士を互いに連結する第２スペーサ２０とを有している。発光素子４、グローブ８、カバー９、２つの回路基板１８、第１スペーサ１９、および第２スペーサ２０は、一体回動できるように互いに連結されている。
【００２４】
各回路基板１８は、第１スペーサ１９を介してカバー９に連結されている。カバー９の円板部９ａに第１スペーサ１９がボルト２１により係止されている。第１スペーサ１９に各回路基板１８がボルト２２によりねじ止めされている。これとともに、各回路基板１８は、第２スペーサ２０にボルト２３によりねじ止めされている。第１スペーサ１９の嵌合孔１９ａおよび第２スペーサ２０の嵌合孔２０ａが、筒部材１７の対応する端部の外周にそれぞれ嵌合していて、回動支持部１１の回動を案内する。
【００２５】
回路基板１８は、可撓性を有する電線１４を介して口金３と電気的に接続されている。回路基板１８は、プリント配線板（図示せず）と、必要に応じて設けられる回路部品（図示せず）とを含み、これらの部品と発光素子４とにより、口金３から複数の発光素子４にそれぞれ給電するための電気回路を構成している。
回路基板１８は、複数の発光素子４を回路基板１８の全体に分散して格子状に並べて支持している。各発光素子４の発光方向Ｒ０は回路基板１８の法線方向に沿っている。
【００２６】
発光素子４は、例えば、発光ダイオード（ＬＥＤともいう。）である。発光素子４がＬＥＤを含む場合には、長寿命の光源装置１を実現できる。発光素子４は発光指向性を有し、例えば、発光方向Ｒ０は、発光素子４のレンズ部の光軸に沿う方向であり、この方向へ光が最も強く発せられるようになっている。
一方の回路基板１８に支持されている複数の発光素子４は、第１の群をなしている。他方の回路基板１８に支持されている複数の発光素子４は、第２の群をなしている。回動支持部１１により支持された各群の複数の発光素子４の発光方向Ｒ０は、概ね一致し、且つ回動中心軸線６と交差する外方向に向けて設定されている。例えば、第１の群の全発光素子４の発光方向Ｒ０は、口金３の径方向外方Ｒ４と概ね平行に揃えられている。第２の群の全発光素子４の発光方向Ｒ０は、口金３の径方向外方Ｒ５と概ね平行に揃えられている。また、群毎に発光素子４の発光方向Ｒ０は異なっていて、例えば、第１および第２の群に対応する発光方向Ｒ０は、互いに逆向きである。
【００２７】
また、光源装置１は、基部１０に対する回動支持部１１の相対回動位置を維持するための回動位置維持機構２４Ａを備えている。
回動位置維持機構２４Ａは、グローブ８の内面８ｉに形成された起伏部２５と、この起伏部２５に係合可能であるように基部１０に設けられた弾性舌片２６とを備えている。起伏部２５は複数の係合凹部２７を有している。係合凹部２７は、グローブ８の周方向に所定間隔（ピッチともいう。）で均等に並び、全周にわたり形成されている。
【００２８】
弾性舌片２６は、片持ち状に支持される屈曲形状の板ばねにより構成される。この板ばねは、ベース７にねじ止めにより固定された基端２６ａと、ベース７の径方向について基端２６ａに対して弾性撓み変形可能な自由端２６ｂとを有する。自由端２６ｂの２つの縁部には、起伏部２５の係合凹部２７と噛み合い係合可能な係合凸部２８がそれぞれ設けられている。ベース７の周方向について、２つの係合凸部２８の間隔は、係合凹部２７の所定間隔とほぼ等しくされている。
【００２９】
図５Ａ，図５Ｂは回動位置維持機構２４Ａの拡大図である。作業者がグローブ８およびカバー９からなる回動操作部を回動操作することによって、このときの回動操作力が弾性舌片２６の弾力に抗して弾性舌片２６を変形させて、起伏部２５と弾性舌片２６との係合が解除されて、回動支持部１１が基部１０に対して相対回動する。その一方で、係合凹部２７と係合凸部２８とが対向すると、弾性舌片２６の弾力により、弾性舌片２６の係合凸部２８と起伏部２５の凹部３５とが弾力的に付勢された状態で噛み合い係合することにより、回動支持部１１の回動移動を所定角度毎に、例えば、起伏部２５のピッチに応じた角度毎に規制している。これにより、作業者が回動操作部、例えば、グローブ８およびカバー９に回動操作力を加えていない状態では、回動支持部１１の回動位置を維持できるようにしてある。
【００３０】
回動位置維持機構２４Ａでは、回動支持部１１の回動位置を自律的に維持できる。また、弾性舌片２６に係合凹部２７を乗り越えさせるような所定の大きさよりも大きな回動操作力を作用させることで、回動支持部１１の回動位置の維持を解除できる。従って、調整作業者は、単にグローブ８およびカバー９からなる回動操作部を適切な位置まで回動させるだけでよいので、調整作業の手間を軽減することができて、好ましい。また、弾性舌片２６と起伏部２５とが弾力的に係合して、回動支持部１１の回動位置を確実に維持することができる。
【００３１】
また、弾性舌片２６は、弾力的に起伏部２５と係合する際に音、例えば、カチカチ音を発するようにできる。この音により作業者は回動支持部１１の回動が規制されていることを確認することができ、安心感を持って調整作業を遂行できる。
図６は基部１０の要部の斜視図である。図７は、グローブ８等を外した状態の基部１０の平面図である。光源装置１は、基部１０に対する回動支持部１１の回動角度範囲を所定範囲に規制するための第１および第２回動範囲規制部材として上述のボルト１５Ａ，１５Ｂを有している。ボルト１５Ａ，１５Ｂは、基部１０に固定されている。ボルト１５Ａ，１５Ｂの先端が、金具１３を挿通して軸方向Ｓ１に突出して、回動角度範囲の対応する端で回動支持部１１の対応部分とそれぞれ当接可能とされている。これにより、回動支持部１１の過度な回動を防止できるので、過度な回動による不具合、例えば、電線１４の断線等の発生を未然に防止することができて、好ましい。
【００３２】
図７Ａに示す回動角度範囲の一方の端において、第１回動範囲規制部材としてのボルト１５Ａの先端の一方の側部が、対応部分としての第２スペーサ２０の端縁２０ｂと当接し、これとともに、第１回動範囲規制部材としてのボルト１５Ｂの先端の一方の側部が、対応部分としての第２スペーサ２０の端縁２０ｄと当接するようになっている。
図７Ｂに示す回動角度範囲の他方の端において、第２回動範囲規制部材としてのボルト１５Ａの先端の他方の側部が、対応部分としての第２スペーサ２０の端縁２０ｃと当接し、これとともに、第２回動範囲規制部材としてのボルト１５Ｂの先端の他方の側部が、対応部分としての第２スペーサ２０の端縁２０ｅと当接するようになっている。これにより、回動角度範囲Ｌ１は所定範囲、例えば、略１８０度に規制されている。
【００３３】
なお、第１および第２回動範囲規制部材は、少なくとも一つがそれぞれ設けられていればよいし、第１および第２回動範囲規制部材は一体でも、互いに別体であってもよい。
図１および図４を参照して、回動支持部１１は、発光素子４の発光方向Ｒ０を作業者に示す表示部としての突起部２９を含んでいる。これにより、消灯状態の発光素子４であっても、発光素子４の向きを容易に知ることができるので、発光素子４の向きを容易に調節できる。突起部２９は、カバー９の外周９ｆに形成されていて、複数、例えば、２つの発光方向Ｒ０に応じて、複数箇所、例えば、２箇所に設けられている。
【００３４】
本実施形態では、口金３で給電ソケット５に接続できるようにしているので、給電ソケット５に接続される白熱電球９３（図１１参照）からの代替えが容易な光源装置１を実現できる。例えば、表示装置９０に、白熱電球９３に代えて本光源装置１を接続する場合に、表示装置９０の変更を少なくしたり、変更をせずに済ますことができる。
しかも、回動支持部１１を基部１０に対して回動することにより、口金３の径方向と平行な発光素子４の発光方向Ｒ０を回動中心軸線６の周りに調整できるようにしている。その結果、例えば、作業者が給電ソケット５に口金３をねじ込む際に、上述の発光方向Ｒ０がばらつくとしても、この発光方向Ｒ０を一定の向きに調整して、回動位置維持機構２４Ａにより維持することができる。また、光源装置１を給電ソケット５に取り付けた後であっても、発光方向Ｒ０を所望の向きに自在に調整できる。従って、発光素子４の出力光を有効に利用できるので、少数の発光素子４の使用で十分な輝度を得ることができる。それとともに、適用範囲の広い発光指向性を有する光源装置１を実現することができる。
【００３５】
例えば、本光源装置１を、背景技術の欄で説明した表示装置９０（図１１参照）に適用することができ、従来の白熱電球９３に代えて表示装置９０の給電ソケット９５に取り付けることができる。給電ソケット９５への口金３のねじ込みの完了状態では、光源装置１の発光素子４の発光方向Ｒ０がばらついて、表示板９２に向いていないとしても、発光方向Ｒ０を表示板９２へ向けて調整することができる。
【００３６】
また、図２を参照して、回動支持部１１は、作業者による回動操作が可能な回動操作部、例えば、グローブ８およびカバー９と、この回動操作部に一体回動可能な回路基板１８とを含み、回路基板１８を介して発光素子４を支持するようにした。これにより、作業者が回動支持部１１を直接に手動操作でき、操作した回動量および向きで、上述の回動操作部と共に回路基板１８および発光素子４を一体回動させることができる。その結果、発光素子４の発光方向Ｒ０の調整作業を分かりやすい簡単な作業により実現できる。
【００３７】
また、回動操作部が、外郭ケース２の少なくとも一部、例えば、グローブ８およびカバー９を含むようにしている。そのため、発光方向Ｒ０の調整時に、回動操作部を回動し易くできる。グローブ８は、給電ソケット５への取付け後でも掴み易く回動し易いから、調整が容易であり、好ましい。また、通例設けられる外郭ケース２の少なくとも一部を、回動操作部に兼用しているので、構造を簡素化できる。
【００３８】
また、基部１０が、外郭ケース２の少なくとも一部、例えば、ベース７を含むようにしている。このベース７をねじ込み操作部に利用でき、ベース７を掴んで、口金３を給電ソケット５に容易にねじ込むことができる。
次に、第２実施形態を説明する。以下の説明では、上述の実施形態と異なる点を中心に説明し、同様の構成については説明を省略し、図示する場合には対応部分に同じ符号を付しておく。また、後述する他の実施形態や変形例についても同様とする。
【００３９】
図８は、第２実施形態の光源装置１Ａの正面図である。第２実施形態の光源装置１Ａは、基部１０Ａと回動支持部１１Ａとを有する。回動支持部１１Ａはグローブ８Ａを含まない。つまり、グローブ８Ａとカバー９とが相対回動可能に嵌合されている。基部１０Ａは基部１０の構成に加えてグローブ８Ａを含んでいる。つまり、ベース７とグローブ８Ａとが相対移動不能に接合されていて、ベース７とグローブ８Ａとがねじ込み操作部を構成している。これにより、外郭ケース２のベース７およびグローブ８Ａの少なくとも一方であって作業者が掴み易いものを掴んで口金３を給電ソケット５により一層容易にねじ込むことができる。特に、グローブ８Ａを掴んで、口金３を給電ソケット５に容易にねじ込むことができる。
【００４０】
一方、発光方向の調整は、回動操作部としてのカバー９を操作することによって行える。カバー９は、給電ソケット５への取付け後でも、給電ソケット５とは反対側に位置することになるから、光源装置１Ａを給電ソケット５に取り付けた状態で、容易に操作することができ、調整が容易である。従って、給電ソケット５への取付けが容易で、且つ発光指向性の調整も容易な光源装置１Ａを実現できる。
【００４１】
図９は、回動位置維持機構２４Ｂの拡大断面図である。回動位置維持機構２４Ｂは、グローブ８Ａの内面８ｉに形成された上述の起伏部２５と、上記カバー９と一体回動可能であって上記起伏部２５と係合可能な凸部としての回路基板１８の縁部１８ｃとを備えている。縁部１８ｃは、起伏部２５の係合凹部２７は、ベース７の周方向に対して傾斜しつつ互いに対向する一対の斜面を有し、一対の斜面間に回路基板１８の縁部１８ｃが嵌まり込んで噛み合う状態で、係合凹部２７と縁部１８ｃとが摩擦係合するようになっている。
【００４２】
回動位置維持機構２４Ｂでは、作業者が回動操作部を回動操作することによって、このときの回動操作力が回路基板１８の縁部１８ｃをグローブ８の起伏部２５の係合凹部２７の斜面に摩擦力に抗して乗り上げさせて、起伏部２５と係合凹部２７との係合位置をずらしながら回動支持部１１Ａが基部１０Ａに対して相対回動する。その一方で、係合凹部２７と回路基板１８の縁部１８ｃとが対向すると、係合凹部２７の斜面と縁部１８ｃとが係合することにより、回動支持部１１Ａの回動移動が所定角度毎、例えば、起伏部２５のピッチ毎に規制される。これにより、回動操作部に作業者が回動操作力を加えていない状態では上記回動支持部１１Ａの回動位置を維持できるようにしてある。
【００４３】
回動位置維持機構２４Ｂでは、回動支持部１１Ａの回動位置を噛み合い状態での摩擦力で自律的に維持できる。また、摩擦力に見合う所定の大きさよりも大きな回動操作力を作用させることで、回動支持部１１Ａの回動位置の維持を解除できる。従って、調整作業の手間を軽減することができて、好ましい。また、凸部、例えば、回路基板１８の縁部１８ｃと起伏部２５との係合であれば、構造を簡素化できる。
【００４４】
図１０は、第３実施形態の光源装置１Ｂの正面図である。光源装置１Ｂは基部１０と回動支持部１１Ａとを有する。グローブ８Ｂは基部１０および回動支持部１１Ａの何れにも含まれていない。つまり、ベース７とグローブ８Ｂとは相対回動可能に嵌合されていて、グローブ８Ｂとカバー９とは相対回動可能に嵌合されている。また、ベース７とグローブ８Ｂとカバー９とは、軸方向Ｓ１および径方向について相対移動を規制されている。
【００４５】
また、光源装置１Ｂの回動位置維持機構２４Ｃは、軸部１２のボルト１６の頭部とカバー９との間に設けられて互いに摺動可能な一対の摺接面３０，３１を含む。一対の摺接面３０，３１間に作用する摩擦力に抗して、作業者が回動操作部としてのカバー９を回動操作することによって、回動支持部１１Ａが基部１０に対して相対回動する。その一方で、作業者がカバー９に回動操作力を加えていない状態では摩擦力により回動支持部１１Ａの回動位置を自律的に維持できるようにしてある。従って、調整作業の手間を軽減することができる。また、一対の摺動面３０，３１であれば、構造を簡素化できる。
【００４６】
以上、この発明の３つの実施形態について説明したが、この発明はさらに他の形態で実施することもできる。例えば、第１実施形態のグローブ８とカバー９とを一体に形成してもよい。また第２実施形態のベース７とグローブ８Ａとを一体に形成してもよい。
また、回動位置維持機構としては、一対の摺動面３０，３１、弾性舌片２６の係合凸部２８および起伏部２５、起伏部２５および回路基板１８の縁部１８ｃ等の一対の係合部があればよい。これらの一対の係合部は、対応する基部および回動支持部に設けられて、基部と回動支持部との相対回動を所定の保持力で規制するように互いに係合する。所定の保持力を上回る力が作用すると、基部および回動支持部の相対回動が許容される。
【００４７】
また、上述の実施形態では、複数の発光素子４は、２群をなしていたが、３群、４群としてもよいし、１群でもよく、少なくとも一つの群をなし、各群が、少なくとも一つの発光素子４を含めばよい。また、各群での複数の発光素子４の発光指向性は概ね等しくなるように、複数の発光素子４の発光方向Ｒ０が設定され、これにより各群の発光素子４が全体として発光指向性を有するようにしてもよい。
【００４８】
また、回動中心軸線６の周りに基部１０に対して回動可能な回動支持部には、回動支持部の回動の中心軸線が、口金３の回動中心軸線６と一致する場合と、口金３の回動中心軸線６に対して微小な角度で傾斜する場合と、口金３の回動中心軸線６と平行で微小距離だけオフセットされる場合との少なくとも一つの場合であって、実質的に回動中心軸線６の周りに基部１０に対して回動可能な回動支持部を含んでもよい。
【００４９】
表示部としては、突起部２９の他、窪み部（図示せず）や、有色部を利用してもよい。また、表示部は、外側から見える回動支持部１１，１１Ａの構成部材、例えば、外郭ケース２に設けるのが好ましい。また、表示部を廃止することも考えられる。
また、上述の実施形態では、基部１０，１０Ａおよび回動支持部１１，１１Ａは、ともに外郭ケース２の一部を含んでいたが、外郭ケース２を含まない構成も考えられる。
【００５０】
また、口金３と回路基板１８とを電気的に接続する電気的接続手段としては、電線１４の他、例えば、導電体で形成されて互いに摺接可能な一対の摺接部を含むスリップリング構造（図示せず）としてもよい。このスリップリング構造を用いる場合には、回動角度範囲を限定しないですむので、回動範囲規制部材を廃止することも考えられる。
また、発光方向Ｒ０は、回動中心軸線６およびこれと平行な方向と一致しないようにされていて、回動中心軸線６と交差する外方向に向けてあればよい。このような外方向は、回動中心軸線６と交差する方向に沿って外方に向く方向、および回動中心軸線と交差する方向と平行な方向に沿って外方へ向く方向を含む。
【００５１】
また、発光素子４としては、光源部からの光を反射する反射面を含む発光素子としてもよい。具体的な発光素子４としては、ＬＥＤの他、放電ランプを利用することもできる。放電ランプとしては、例えば、キセノンランプ、ネオンランプ等のネオンを利用した放電ランプ等を利用することもでき、キセノンランプ、ネオンランプ等は、白熱電球に比べて長寿命である。
【００５２】
また、光源装置１，１Ａ，１Ｂは、上述の生産ライン用の表示装置９０に限らず、看板、照明装置、各種の表示装置等で利用することができる。その他、特許請求の範囲に記載された事項の範囲で種々の設計変更を施すことが可能である。
【図面の簡単な説明】
【００５３】
【図１】本発明の第１実施形態の光源装置の斜視図であり、図１Ａおよび図１Ｂに相異なる発光方向をそれぞれ図示してあり、給電ソケットも一点鎖線で図示してある。
【図２】図１の光源装置の縦断面図である。
【図３】図２の III− III断面で切った光源装置の横断面図である。
【図４】図２の光源装置の分解斜視図である。
【図５】図３の回動位置維持機構の平面図であり、図５Ａに回動位置維持状態を、図５Ｂに非維持状態を示す。
【図６】図２の光源装置の回動範囲規制部材等の斜視図である。
【図７】図６の回動範囲規制部材等の平面図であり、グローブおよび回路基板を取り外した状態で示し、図７Ａに回動角度範囲の一方の端の状態を、図７Ｂに他方の端の状態を示す。
【図８】本発明の第２実施形態の光源装置の正面図である。
【図９】図８の光源装置の回動位置維持機構の平面図であり、図９Ａに回動位置維持状態を、図９Ｂに非維持状態を示す。
【図１０】本発明の第３実施形態の光源装置の正面図である。
【図１１】従来の白熱電球を用いた表示装置の一部切欠き斜視図である。
【符号の説明】
【００５４】
１，１Ａ，１Ｂ  光源装置
３  口金
４  発光素子
５  給電ソケット
６  回動中心軸線
８  グローブ（回動操作部）
８Ａ，８Ｂ  グローブ
８ｉ  （グローブの）内面
８ｊ  （グローブの）頂部
９  カバー（回動操作部）
１０，１０Ａ  基部
１１，１１Ａ  回動支持部
１５Ａ，１５Ｂ  ボルト（回動範囲規制部材）
１８  回路基板
１８ｃ  縁部（凸部）
２４Ａ，２４Ｂ，２４Ｃ  回動位置維持機構
２５  起伏部
２６  弾性舌片
２９  突起部（表示部）
Ｌ１  回動支持部の回動角度範囲
Ｒ０  発光素子の発光方向
Ｒ１，Ｒ２  回動中心軸線と交差する外方向
【図１】
2005251689.tif 000003
【図２】
2005251689.tif 000004
【図３】
2005251689.tif 000005
【図４】
2005251689.tif 000006
【図５】
2005251689.tif 000007
【図６】
2005251689.tif 000008
【図７】
2005251689.tif 000009
【図８】
2005251689.tif 000010
【図９】
2005251689.tif 000011
【図１０】
2005251689.tif 000012
【図１１】
2005251689.tif 000013